(57)【特許請求の範囲】
【請求項１】
データを格納するための複数のデバイスと、
前記複数のデバイスに電源を供給する第１電源と、
前記第１電源と冗長構成され、前記複数のデバイスに電源を供給する第２電源と、
前記複数のデバイスを起動させる前に前記第１電源及び前記第２電源が正常に動作しているか否かを判定し、前記第１電源及び前記第２電源が正常に動作している場合に、前記複数のデバイスを一斉に起動させ、さらに前記複数のデバイスを一斉に起動させている間に前記第１電源及び前記第２電源が正常に動作しているか否かを判定し、前記第１電源及び前記第２電源のうちいずれか一方の電源が正常に動作しなくなった場合に、前記複数のデバイスの一斉起動を中断し、前記複数のデバイスを順次起動させる電源制御部と、
を備えることを特徴とするディスクアレイ装置。
【請求項２】
前記第１電源は、
正常に動作している場合に、第１電源状態監視信号を前記電源制御部に送信し、
前記第２電源は、
正常に動作している場合に、第２電源状態監視信号を前記電源制御部に送信し、
前記電源制御部は、
前記第１電源状態監視信号及び前記第２電源状態監視信号を受信している間、前記第１電源及び前記第２電源が正常に動作していると判断する
ことを特徴とする請求項１に記載のディスクアレイ装置。
【請求項３】
データを格納するための複数のデバイスと、
前記複数のデバイスに電源を供給する第１電源と、
前記第１電源と冗長構成され、前記複数のデバイスに電源を供給する第２電源と、
前記第１電源及び前記第２電源を制御する電源制御部と、
を有するディスクアレイ装置の制御方法であって、
前記電源制御部が、前記複数のデバイスを起動させる前に前記第１電源及び前記第２電源が正常に動作しているか否かを判定し、前記第１電源及び前記第２電源が正常に動作している場合に、前記複数のデバイスを一斉に起動させる第１のステップと、
前記電源制御部が、前記複数のデバイスを一斉に起動させている間に、前記第１電源及び前記第２電源が正常に動作しているか否かを判定し、前記第１電源及び前記第２電源のうちいずれか一方の電源が正常に動作しなくなった場合に、前記複数のデバイスの一斉起動を中断し、前記複数のデバイスを順次起動させる第２のステップと、
を備えることを特徴とするディスクアレイ装置の制御方法。
【発明の詳細な説明】
【技術分野】
【０００１】
本発明は、ディスクアレイ装置及びその制御方法に関する。
【背景技術】
【０００２】
従来、ディスクアレイ装置は、ＨＤＤ（Hard Disk Drive）起動時にＨＤＤの起動電流が電源装置１台の電源容量を超えないように、順次ＨＤＤの起動を行っている。また、ディスクアレイ装置は、電源容量を増やすために、２台以上の電源装置を有することもできる。
【０００３】
２台の電源装置を有するディスクアレイ装置として、例えば、特許文献１の電源制御装置が開示されている。特許文献１の電源制御装置は、２台の電源装置からの供給電流を合算し、各ハードディスクの個々の状態に応じた電力を各ハードディスクに供給するよう制御する。
【先行技術文献】
【特許文献】
【０００４】
【特許文献１】特開２００１−１８６６５５号公報
【発明の概要】
【発明が解決しようとする課題】
【０００５】
しかしながら、電源装置は冗長構成のために２台搭載されている場合もある。この場合、システムダウンが許されないディスクアレイ装置では、１台の電源装置は予備として使用され、１台の電源装置はディスクアレイ装置を動作するために使用される。
【０００６】
従って、電源装置が２台搭載されている場合であっても、電源装置１台の電源容量を超えないように、順次ＨＤＤの起動を行っており、ＨＤＤの立ち上げに時間がかかるという問題がある。
【０００７】
具体的に、３．５[inch]のＨＤＤを一例に挙げると、ＨＤＤは、起動時に、ＨＤＤの媒体（ディスク）を回転させるため３[A]という大きな突入電流（起動電流とも呼ぶ）を流す必要がある。しかしながら、ＨＤＤは、ディスク回転が安定速度に到達した通常動作では、０．８[A]という少ない電力で動作する。
【０００８】
これに対して、電源容量は、ＨＤＤの起動時の起動電流３[A]に合わせて電力設計すると、電力の大きな高価な電源装置となる。このため、電源容量は、通常動作の０．８[A]に合わせて電力設計されている。このため、ディスクアレイ装置の立上げ時はＨＤＤ順次起動して電力を抑える必要がある。
【０００９】
一例として３．５[inch]のＨＤＤを１２台搭載したディスクアレイ装置の立上げ時には、ディスクアレイ装置は、最初３台のＨＤＤを同時起動する。この起動時間は、１０秒間である。ディスクアレイ装置は、３台のＨＤＤを同時起動している間、他の９台のＨＤＤに電力を供給しない。最初の３台のＨＤＤの起動が完了すると、そのＨＤＤの電力は通常動作の０．８[A]となり、この段階で、ディスクアレイ装置は、次のＨＤＤ３台を起動させる、このとき、ディスクアレイ装置は、残りの６台のＨＤＤに電力を供給しない。
【００１０】
この方法を繰り返して１２台のＨＤＤが全て起動完了するまでにかかる時間は、１０秒の起動時間が４回なので、４０秒となる。このように、ディスクアレイ装置は、電源装置やＨＤＤの状態に関係なく、ＨＤＤの起動完了を待って順次起動して立ち上げなければならないため、立上げ時間に大きな時間を要するという問題がある。
【００１１】
本発明は以上の点を考慮してなされたものであり、信頼性を維持しつつユーザの使い勝手を向上させ得るディスクアレイ装置及びその制御方法を提案するものである。
【課題を解決するための手段】
【００１２】
かかる課題を解決するために本発明のディスクアレイ装置の一態様は、サーバ装置から受信した書き込み対象のデータを格納するための複数のデバイスと、前記複数のデバイスに電源を供給する第１電源と、前記第１電源と冗長構成され、前記複数のデバイスに電源を供給する第２電源と、前記第１電源及び前記第２電源が正常に動作している場合に、前記複数のデバイスを一斉に起動させる一方、前記複数のデバイスを一斉に起動させている間に、前記第１電源及び前記第２電源のうちいずれか一方の電源が正常に動作しなくなった場合に、前記複数のデバイスの一斉起動を中断し、前記複数のデバイスを順次起動させる電源制御部と、を備えることを特徴とする。
【００１３】
また、本発明のディスクアレイ装置の制御方法の一態様は、サーバ装置から受信した書き込み対象のデータを格納するための複数のデバイスと、前記複数のデバイスに電源を供給する第１電源と、前記第１電源と冗長構成され、前記複数のデバイスに電源を供給する第２電源と、前記第１電源及び前記第２電源を制御する電源制御部と、を有するディスクアレイ装置の制御方法であって、前記電源制御部が、前記第１電源及び前記第２電源が正常に動作している場合に、前記複数のデバイスを一斉に起動させる第１のステップと、前記電源制御部が、前記複数のデバイスを一斉に起動させている間に、前記第１電源及び前記第２電源のうちいずれか一方の電源が正常に動作しなくなった場合に、前記複数のデバイスの一斉起動を中断し、前記複数のデバイスを順次起動させる第２のステップと、を備えることを特徴とする。
【００１４】
従って、本発明のディスクアレイ装置及びディスクアレイ装置の制御方法一態様は、第１電源及び第２電源の状態に応じて、複数のデバイスの立ち上げ時間を短縮することができる。
【発明の効果】
【００１５】
本発明によれば、信頼性を維持しつつユーザの使い勝手を向上させ得るディスクアレイ装置及びその制御方法を実現することができる。
【図面の簡単な説明】
【００１６】
【図１】ディスクアレイ装置の構成の一例を示す図である。
【図２】装置立ち上げ時の電源制御処理手順の一例を示すフローチャートである。
【図３】データの書き込み処理の実施例の説明に供する概念図である。
【発明を実施するための形態】
【００１７】
以下、本発明の一実施形態を、図面を参照して詳細に説明する。なお、これにより本発明が限定されるものではない。
【００１８】
（構成）
図１は、本実施形態のディスクアレイ装置１の構成の一例を示す図である。ストレージシステム１は、例えば、第１電源１１、第２電源１２、第１コントローラ（第１Cont）２１、第２コントローラ（第２Cont）２２、第１パワーオン（Power ON）回路２７〜第４パワーオン回路３０及び１２台のＨＤＤ３１〜ＨＤＤ４２を備える。
【００１９】
第１電源１１及び第２電源１２は、ディスクアレイ装置１全体に電力を供給する。第１電源１１及び第２電源１２は、冗長構成されている。
【００２０】
第１コントローラ２１は、第１電源１１及び第２電源１２と接続されている。第２コントローラ２２は、第１電源１１及び第２電源１２と接続されている。第１コントローラ２１及び第２コントローラ２２は、ディスクアレイ装置１全体を制御する。第１コントローラ２１及び第２コントローラ２２は、冗長構成されている。
【００２１】
第１パワーオン回路２７〜第４パワーオン回路３０は、それぞれ第１コントローラ２１及び第２コントローラ２２と接続されている。第１パワーオン回路２７〜第４パワーオン回路３０は、ＨＤＤ３１〜ＨＤＤ４２に電力を供給する。
【００２２】
ＨＤＤ３１〜ＨＤＤ３３は、第１パワーオン回路２７と接続されている。ＨＤＤ３４〜ＨＤＤ３６は、第２パワーオン回路２８と接続されている。ＨＤＤ３７〜ＨＤＤ３９は、第３パワーオン回路２９と接続されている。ＨＤＤ４０〜ＨＤＤ４２は、第４パワーオン回路３０と接続されている。ＨＤＤ３１〜ＨＤＤ４２は、例えば、サーバ装置（図示せず）から受信したデータを格納する。
【００２３】
第１電源１１は、電源がオンにされると、第１電源出力１３の電力を第１パワーオン回路２７〜第４パワーオン回路３０に出力する。また、第２電源１２は、電源がオンにされると、第２電源出力１４の電力を第１パワーオン回路２７〜第４パワーオン回路３０に出力する。第１電源１１及び第２電源１２は、例えば、１２[V]である。
【００２４】
第１電源１１は、電源がオンにされると、電源が正常に立ち上がったか否かを示す第１電源状態監視信号１５を第１コントローラ２１及び第２コントローラ２２に送信する。また、第２電源１２は、電源がオンにされると、電源が正常に立ち上がったことを示す第２電源状態監視信号１６を第１コントローラ２１及び第２コントローラ２２に送信する。これにより、第１コントローラ２１及び第２コントローラ２２は、第１電源１１及び第２電源１２の状態を監視する。
【００２５】
第１コントローラ２１は、第１電源状態監視信号１５及び第２電源状態監視信号１６を受信している間、第１パワーオン回路２７〜第４パワーオン回路３０に第１電源出力１３及び第２電源出力１４の電力を供給するための第１回路オン信号２３〜第４回路オン信号２６を送信する。また、第２コントローラ２２は、第１電源状態監視信号１５及び第２電源状態監視信号１６を受信している間、第１パワーオン回路２７〜第４パワーオン回路３０に第１回路オン信号２３〜第４回路オン信号２６を送信する。
【００２６】
第１パワーオン回路２７〜第４パワーオン回路３０は、第１回路オン信号２３〜第４回路オン信号２６を受信すると、第１電源出力１３及び第２電源出力１４の電力をＨＤＤ３１〜ＨＤＤ４２に供給する。ＨＤＤ３１〜ＨＤＤ４２は、第１電源出力１３及び第２電源出力１４の電力が供給されると、起動を開始する。ＨＤＤ３１〜ＨＤＤ４２は、起動が完了すると、ＨＤＤが正常に立ち上がったか否かを示すＨＤＤ状態監視信号４３を第１コントローラ２１及び第２コントローラ２２に送信する。これにより、第１コントローラ２１及び第２コントローラ２２は、ＨＤＤ３１〜ＨＤＤ４２の状態を監視する。
【００２７】
（装置立ち上げ時の電源制御処理手順）
次に、本実施形態の一実施例のディスクアレイ装置１における装置立ち上げ時の電源制御処理手順について説明する。この場合、ＨＤＤ３１〜ＨＤＤ４２は、１２台の３．５[inch]のＨＤＤである。また、第１電源１１及び第２電源１２は、１２[V]電力を供給する。
【００２８】
まず、第１電源出力１３及び第２電源出力１４の１２[V]電力は、冗長電源である第１電源１１及び第２電源１２がオンにされると、第１コントローラ２１及び第２コントローラ２２、並びに第１パワーオン回路２７〜第４パワーオン回路３０に供給される。
【００２９】
なお、第１電源出力１３及び第２電源出力１４の１２[V]電力は、第１パワーオン回路２７〜第４パワーオン回路３０が第１コントローラ２１及び第２コントローラ２２から第１回路オン信号２３〜第４回路オン信号２６を受信した後にＨＤＤ３１〜ＨＤＤ４２に供給される。従って、このとき、第１電源出力１３及び第２電源出力１４の１２[V]電力は、ＨＤＤ３１〜ＨＤＤ４２に供給されていない。
【００３０】
第１コントローラ２１は、第１電源出力１３及び第２電源出力１４の１２[V]電力が供給されると、図２に示す電源制御処理手順ＲＴ１を実行し、ファームウェアの初期化を行う（ステップＳＰ１）。
【００３１】
続いて、第１コントローラ２１は、第１電源１１及び第２電源１２が２台とも正常であるか否かをチェックする（ステップＳＰ２）。具体的に、第１コントローラ２１は、第１電源１１及び第２電源１２から第１電源状態監視信号１５及び第２電源状態監視信号１６を受信しているか否かによって、第１電源１１及び第２電源１２が２台とも正常であるか否かをチェックする。
【００３２】
そして、第１コントローラ２１は、第１電源１１及び第２電源１２のうち少なくとも１台が正常でない場合（ステップＳＰ２：ＮＯ）には、第１電源１１及び／又は第２電源１２が異常である旨を保守員等に通知し（ステップＳＰ３）、保守員等に第１電源１１及び／又は第２電源１２の交換を促す。続いて、第１コントローラ２１は、第１電源１１及び／又は第２電源１２が交換されるのを待機モードで待ち受ける（ステップＳＰ４）。やがて、第１コントローラ２１は、第１電源１１及び／又は第２電源１２が交換されると（ステップＳＰ４：ＹＥＳ）、ステップＳＰ２に戻る。
【００３３】
これに対して、第１コントローラ２１は、第１電源１１及び第２電源１２が２台とも正常である場合（ステップＳＰ２：ＹＥＳ）には、全てのＨＤＤ３１〜ＨＤＤ４２の起動を開始する（ステップＳＰ５）。
【００３４】
具体的に、第１コントローラ２１は、第１電源１１及び第２電源１２が２台とも正常である場合には、２台の電源容量の合計が１２台のＨＤＤ３１〜ＨＤＤ４２を一斉に起動させても、電力が許容範囲内である判別して、第１回路オン信号２３を第１パワーオン回路２７に送信し、第２回路オン信号２４を第２パワーオン回路２８に送信し、第３回路オン信号２５を第３パワーオン回路２９に送信し、第４回路オン信号２６を第４パワーオン回路３０に送信する。そして、第１パワーオン回路２７〜第４パワーオン回路３０は、第１回路オン信号２３〜第４回路オン信号２６を受信すると、第１電源出力１３及び第２電源出力１４の１２[V]電力を、ＨＤＤ３１〜ＨＤＤ４２に一斉に供給する。これにより、ＨＤＤ３１〜ＨＤＤ４２は一斉に起動し、例えば、約１０秒で起動が完了することとなる。なお、この場合、１２台のＨＤＤ３１〜ＨＤＤ４２が全て起動完了するまでにかかる時間は、約１０秒となる。
【００３５】
続いて、第１コントローラ２１は、第１電源１１及び第２電源１２が２台とも正常であるか否かをチェックする（ステップＳＰ６）。具体的に、第１コントローラ２１は、ＨＤＤ３１〜ＨＤＤ４２起動中にも、絶えずポーリングにて第１電源状態監視信号１５及び第２電源状態監視信号１６の受信状況を監視している。
【００３６】
そして、第１コントローラ２１は、第１電源１１及び第２電源１２のうち少なくとも１台が正常でない場合（ステップＳＰ６：ＮＯ）には、全てのＨＤＤ３１〜ＨＤＤ４２の起動を中断する（ステップＳＰ７）。続いて、第１コントローラ２１は、ＨＤＤ３１〜ＨＤＤ４２を順次起動し（ステップＳＰ８）、その後、図２に示す電源制御処理手順ＲＴ１を終了する（ステップＳＰ１０）。
【００３７】
具体的に、第１コントローラ２１は、始めに、第１回路オン信号２３のみを第１パワーオン回路２７に送信する。第１パワーオン回路２７は、第１回路オン信号２３を受信すると、第１電源出力１３及び第２電源出力１４の１２[V]電力を、ＨＤＤ３１〜ＨＤＤ３３に供給し、ＨＤＤ３１〜ＨＤＤ３３を起動させる。次に、第１コントローラ２１は、ＨＤＤ３１〜ＨＤＤ３３が起動完了する時間である約１０秒後に、第２回路オン信号２４のみを第２パワーオン回路２８に送信する。第２パワーオン回路２８は、第２回路オン信号２４を受信すると、第１電源出力１３及び第２電源出力１４の１２[V]電力を、ＨＤＤ３４〜ＨＤＤ３６に供給し、ＨＤＤ３４〜ＨＤＤ３６を起動させる。
【００３８】
次に、第１コントローラ２１は、上述の場合と同様に、順次、第３回路オン信号２５を第３パワーオン回路２９に送信し、第４回路オン信号２６を第４パワーオン回路３０に送信する。そして、第３パワーオン回路２９及び第４パワーオン回路３０は、上述の場合と同様に、順次、ＨＤＤ３７〜ＨＤＤ３９を起動させ、ＨＤＤ４０〜ＨＤＤ４２を起動させる。なお、この場合、１２台のＨＤＤ３１〜ＨＤＤ４２が全て起動完了するまでにかかる時間は、約１０秒の起動時間が４回なので、約４０秒となる。
【００３９】
これに対して、第１コントローラ２１は、第１電源１１及び第２電源１２が２台とも正常である場合（ステップＳＰ６：ＹＥＳ）には、全てのＨＤＤ３１〜ＨＤＤ４２の起動が終了したか否かをチェックする（ステップＳＰ９）。そして、第１コントローラ２１は、全てのＨＤＤ３１〜ＨＤＤ４２の起動が終了していない場合（ステップＳＰ９：ＮＯ）には、ステップＳＰ６に戻り、その後、ステップＳＰ６〜ステップＳＰ９の処理を繰り返す。これに対して、第１コントローラ２１は、全てのＨＤＤ３１〜ＨＤＤ４２の起動が終了した場合（ステップＳＰ９：ＹＥＳ）には、その後、図２に示す電源制御処理手順ＲＴ１を終了する（ステップＳＰ１０）。
【００４０】
なお、第２コントローラ２２は、第１コントローラ２１と同様の制御を行うため、第２コントローラ２２の説明は、割愛する。
【００４１】
図３は、本実施形態の一実施例のディスクアレイ装置１における装置立ち上げ時の電源制御処理の電流値の変化について説明する。ここで、ＨＤＤ３１〜ＨＤＤ４２は、１２台の３．５[inch]のＨＤＤである。また、第１電源１１及び第２電源１２は、１２[V]電力を供給する。第１電源１１及び第２電源１２の定格電流は、１台で４０[A]、２台合計値で８０[A]とする。また、１台のＨＤＤの起動時の起動電流は３[A]、通常動作時の定格電流は０．８[A]とし、ＨＤＤ以外の装置の定格電流の合計は２３．８[A]とする。
【００４２】
この場合、ＨＤＤが１２台搭載された場合のディスクアレイ装置１の起動電流の最大値がＩｍａｘ[A]である場合、Ｉｍａｘは、以下のように計算される。
【００４３】
（数１）
Ｉｍａｘ[A]＝２３．８[A]＋（３[A]×１２[台]）＝５９．８[A]
【００４４】
従って、第１電源１１及び第２電源１２が正常である場合には、Ｉｍａｘは、電源２台の合計値が８０[A]以内であり、ディスクアレイ装置１は、ＨＤＤの一斉起動が可能である（図３（Ｅ））。
【００４５】
これに対して、電源が１台故障しており、片方の電源のみで起動しなければならない場合には、Ｉｍａｘは、電源１台の定格電流である４０[A]を超えるため、ディスクアレイ装置１は、ＨＤＤを順次起動せざるを得ない。
【００４６】
この場合、４回の順次起動のうちの最大の起動電力を必要とする４回目の起動電力がＩ４[A]である場合、Ｉ４は、以下のように計算される。
【００４７】
（数２）
Ｉ４[A]＝２３．８[A]＋（０．８[A]×９[台]）＋（３[A]×３[台]）＝４０[A]
【００４８】
従って、第１電源１１及び第２電源１２の一方が故障している場合であっても、Ｉ４は、電源１台の定格電流である４０[A]なので、ディスクアレイ装置１は、電源１台でも順次起動であれば、ＨＤＤを立ち上げることが可能である（図３（Ａ）〜（Ｄ））。
【００４９】
（動作及び効果）
このようにして、本実施形態のディスクアレイ装置１では、第１コントローラ２１が、第１電源１１及び第２電源１２が２台とも正常である場合には、全てのＨＤＤ３１〜ＨＤＤ４２の起動を開始する一方、第１電源１１及び第２電源１２のうち少なくとも１台が正常でなくなった場合には、全てのＨＤＤ３１〜ＨＤＤ４２の起動を中断し、ＨＤＤ３１〜ＨＤＤ４２を順次起動する。
【００５０】
従って、本実施形態のディスクアレイ装置１は、第１電源１１及び第２電源１２の状態に応じて、ＨＤＤ３１〜ＨＤＤ４２の立ち上げ時間を短縮することができる。
【００５１】
本実施形態については、ディスクアレイ装置１が、１２台の３．５[inch]のＨＤＤを搭載した場合について述べたが、本発明はこれに限らず、例えば、ディスクアレイ装置１が、２４台の２．５[inch]のＨＤＤを搭載することもできる。この場合、２．５[inch]のＨＤＤの起動時間が約１０秒であり、３台ずつ順次起動する場合、２４台の２．５[inch]のＨＤＤが全て起動完了するまでにかかる時間は、約８０秒となる。しかしながら、本実施形態のディスクアレイ装置１は、２４台の２．５[inch]のＨＤＤを一斉に起動することにより、２４台の２．５[inch]のＨＤＤを約１０秒で起動することができ、２４台の２．５[inch]のＨＤＤが全て起動完了するまでにかかる時間を大幅に短縮することができる。
【００５２】
上記の実施形態の一部又は全部は、以下の付記のようにも記載されうるが、以下には限られない。
【００５３】
（付記１）サーバ装置から受信した書き込み対象のデータを格納するための複数のデバイスと、前記複数のデバイスに電源を供給する第１電源と、前記第１電源と冗長構成され、前記複数のデバイスに電源を供給する第２電源と、前記第１電源及び前記第２電源が正常に動作している場合に、前記複数のデバイスを一斉に起動させる一方、前記複数のデバイスを一斉に起動させている間に、前記第１電源及び前記第２電源のうちいずれか一方の電源が正常に動作しなくなった場合に、前記複数のデバイスの一斉起動を中断し、前記複数のデバイスを順次起動させる電源制御部と、を備えることを特徴とするディスクアレイ装置である。
【００５４】
（付記２）前記第１電源は、正常に動作している場合に、第１電源状態監視信号を前記電源制御部に送信し、前記第２電源は、正常に動作している場合に、第２電源状態監視信号を前記電源制御部に送信し、前記電源制御部は、前記第１電源状態監視信号及び前記第２電源状態監視信号を受信している間、前記第１電源及び前記第２電源が正常に動作していると判断することを特徴とする付記１に記載のディスクアレイ装置である。
【００５５】
（付記３）サーバ装置から受信した書き込み対象のデータを格納するための複数のデバイスと、前記複数のデバイスに電源を供給する第１電源と、前記第１電源と冗長構成され、前記複数のデバイスに電源を供給する第２電源と、前記第１電源及び前記第２電源を制御する電源制御部と、を有するディスクアレイ装置の制御方法であって、前記電源制御部が、前記第１電源及び前記第２電源が正常に動作している場合に、前記複数のデバイスを一斉に起動させる第１のステップと、前記電源制御部が、前記複数のデバイスを一斉に起動させている間に、前記第１電源及び前記第２電源のうちいずれか一方の電源が正常に動作しなくなった場合に、前記複数のデバイスの一斉起動を中断し、前記複数のデバイスを順次起動させる第２のステップと、を備えることを特徴とするディスクアレイ装置の制御方法。
【符号の説明】
【００５６】
１……ディスクアレイ装置、１１……第１電源、１２……第２電源、１３……第１電源出力、１４……第２電源出力、１５……第１電源状態監視信号、１６……第２電源状態監視信号、２１……第１コントローラ、２２……第２コントローラ、２３……第１回路オン信号、２４……第２回路オン信号、２５……第３回路オン信号、２６……第４回路オン信号、２７……第１パワーオン回路、２８……第２パワーオン回路、２９……第３パワーオン回路、３０……第４パワーオン回路、３１〜４２……ＨＤＤ、４３……ＨＤＤ状態監視信号
【図１】
0005743067.tif 000002
【図２】
0005743067.tif 000003
【図３】
0005743067.tif 000004